(57)【要約】【課題】  炊飯器本体内に鍋を着脱自在に支持する炊飯器において、炊飯器本体の上面開口部を衛生的で、かつ容易に手入れできるようにし、さらに、商品に清潔感や高級感をもたせ、商品性を高めるとともに、炊飯器本体の構成を簡素化し、上面開口部と本体カバーの熱膨張の差により上面開口部にクラックが発生するのを防止する。【解決手段】  鍋５を着脱自在に支持する炊飯器本体１の上面開口部３に本体カバー１０を配設し、本体カバー１０の内周部の端部１１と外周部の端部１３とを炊飯器本体１の上面開口部３と一体成形し、上面開口部３の内周部１２と外周部１４の間に隙間１５を配設する。【選択図】  図１
2005081042.tif 000002
【特許請求の範囲】
【請求項１】
鍋を着脱自在に支持する炊飯器本体と、前記炊飯器本体の上面開口部に配設した本体カバーとを備え、前記本体カバーの内周部の端部と外周部の端部とを前記炊飯器本体の上面開口部と一体成形し、前記上面開口部の内周部と外周部の間に隙間を配設した炊飯器。
【請求項２】
本体カバーの内周部の端部と外周部の端部に折り曲げ部を配設した請求項１記載の炊飯器。
【請求項３】
本体カバーは金属部材で構成し、炊飯器本体の上面開口部の内周部および外周部は、プラスチック部材で構成した請求項１記載の炊飯器。
【請求項４】
鍋を着脱自在に支持する炊飯器本体と、前記炊飯器本体の上面開口部に配設した本体カバーとを備え、前記本体カバーの内周部の端部と外周部の端部とを前記炊飯器本体の上面開口部と一体成形し、前記上面開口部の内周部および外周部に一体成形されている本体カバーの内周部の端部および外周部の端部に、前記上面開口部と本体カバーの熱膨張の差を緩和させる緩衝部材を配設し、前記上面開口部と本体カバーを一体成形した炊飯器。
【請求項５】
上面開口部と本体カバーの熱膨張の差を緩和させる緩衝部材は、ゴム材等で構成した請求項４記載の炊飯器。
【発明の詳細な説明】
【技術分野】
【０００１】
本発明は、炊飯器本体内に鍋を着脱自在に支持する炊飯器に関するものである。
【背景技術】
【０００２】
従来、この種の炊飯器は図４に示すように構成していた。以下、その構成について説明する。
【０００３】
図４に示すように、炊飯器本体４１は、有底筒形状の鍋収納部４２を有しており、上面開口部４３が鍋収納部４２の上端部からつらなっている。上面開口部４３の外周は、外周側面部４４に支持されている。また、鍋４５は炊飯器本体４１の鍋収納部４２に上方より着脱自在に収納され、鍋４５の外周フランジ部４６は炊飯器本体４１の鍋収納部４２に収納したとき、上面開口部４３の上方に位置している。
【０００４】
また、蓋４７は鍋４５の上方を覆うもので、上面開口部４３の上方に位置している。また、上面開口部４３には、鍋４５の外周フランジ部４６に対向する立ち上がり環状リング部４８と蓋４７を軸支持する後方ヒンジ立ち上がり壁４９とを有しており、環状リング４８を含む上面開口部４３には第１のカバー５０を載置し、後方ヒンジ立ち上がり壁４９には、第２のカバー５１を載置している。
【０００５】
ここで、第１のカバー５０の外周部には、図５（ａ）に示すように、数箇所の固定用のつめ５２を配設し、上面開口部４３には、図５（ｂ）に示すように、第１のカバー５０のつめ５２を挿入する穴５３を配設し、第１のカバー５０のつめ５２を穴５３に挿入して折り曲げ、第１のカバー５０を上面開口部４３に固定している（例えば、特許文献１参照）。
【特許文献１】特開２００２−２７２５９７号公報
【発明の開示】
【発明が解決しようとする課題】
【０００６】
しかしながら、このような従来の構成では、炊飯・保温中に内蓋に発生した露が蓋４７を開けたときに、鍋収納部４２の上面開口部４３に滴下し、第１のカバー５０と上面開口部４３の間に水が溜まり、日々の清掃を怠ると、その水が原因で雑菌が繁殖したり、かびが発生し、異臭の原因にもなり、不衛生であった。
【０００７】
また、上面開口部４３に穴５３があいているため、第１のカバー５０と上面開口部４３との隙間に水が浸入すると、炊飯器本体４１の内部に水が浸入する恐れがあり、その対策として、第１のカバー５０と上面開口部４３の間にシール部材（図示せず）を配設していたので、構成が複雑であった。
【０００８】
本発明は上記従来の課題を解決するもので、炊飯器本体の上面開口部を衛生的で、かつ容易に手入れできるようにし、さらに、商品に清潔感や高級感をもたせ、商品性を高めるとともに、炊飯器本体の構成を簡素化し、上面開口部と本体カバーの熱膨張の差により上面開口部にクラックが発生するのを防止することを目的としている。
【課題を解決するための手段】
【０００９】
本発明は上記目的を達成するために、鍋を着脱自在に支持する炊飯器本体の上面開口部に本体カバーを配設し、本体カバーの内周部の端部と外周部の端部とを炊飯器本体の上面開口部と一体成形し、上面開口部の内周部と外周部の間に隙間を配設したものである。
【００１０】
これにより、炊飯器本体の上面開口部を衛生的で、かつ容易に手入れできるとともに、商品に清潔感や高級感を持たせ、商品性を高めることができ、炊飯器本体の構成を簡素化することができる。また、上面開口部と本体カバーの熱膨張の差により上面開口部にクラックが発生するのを防止することができる。
【発明の効果】
【００１１】
本発明は、炊飯器本体の上面開口部を衛生的で、かつ容易に手入れできるとともに、商品に清潔感や高級感を持たせ、商品性を高めることができ、上面開口部と本体カバーの熱膨張の差により上面開口部にクラックが発生するのを防止することができる。
【発明を実施するための最良の形態】
【００１２】
第１の発明は、鍋を着脱自在に支持する炊飯器本体と、前記炊飯器本体の上面開口部に配設した本体カバーとを備え、前記本体カバーの内周部の端部と外周部の端部とを前記炊飯器本体の上面開口部と一体成形し、前記上面開口部の内周部と外周部の間に隙間を配設したものであり、水が溜まり、こびりつく所がないため、ふきん等で簡単に拭き取ることができるので、衛生的で、かつ手入れ性を向上することができ、商品に清潔感や高級感を持たせ、商品価値を向上させることができるとともに、上面開口部の構成を簡素化できる。また、炊飯器本体の上面開口部の内周部と外周部との間に隙間を設けているため、上面開口部と本体カバーの熱膨張の差により、上面開口部が収縮しても応力集中する部分が発生しないため、炊飯器本体の上面開口部にクラックや亀裂などが発生するのを未然に防ぐことができる。
【００１３】
第２の発明は、上記第１の発明において、本体カバーの内周部の端部と外周部の端部に折り曲げ部を配設したものであり、炊飯の繰り返しで、炊飯器本体の上面開口部が熱収縮をしてたとしても、折り曲げ部が上面開口部と一体成形されているため、本体カバーが上面開口部から浮き出るのをなくすことができる。
【００１４】
第３の発明は、上記第１の発明において、本体カバーは金属部材で構成し、炊飯器本体の上面開口部の内周部および外周部は、プラスチック部材で構成したものであり、炊飯器本体と本体カバーを一連につながってないため、プラスチック部材である炊飯器本体の上面開口部が収縮しても、応力集中が発生する部分が発生しないため、上面開口部にクラックや亀裂が発生するのを未然に防止することができる。さらに、商品に清潔感や高級感を持たせ、商品価値を向上することができる。
【００１５】
第４の発明は、鍋を着脱自在に支持する炊飯器本体と、前記炊飯器本体の上面開口部に配設した本体カバーとを備え、前記本体カバーの内周部の端部と外周部の端部とを前記炊飯器本体の上面開口部と一体成形し、前記上面開口部の内周部および外周部に一体成形されている本体カバーの内周部の端部および外周部の端部に、前記上面開口部と本体カバーの熱膨張の差を緩和させる緩衝部材を配設し、前記上面開口部と本体カバーを一体成形したものであり、炊飯器本体と本体カバーが一連につながった構成であっても、熱膨張の差を緩和させる緩衝部材により、完全に炊飯器本体の上面開口部と本体カバーを分離させることができるため、炊飯器本体の上面開口部と本体カバーが熱収縮を起こしたとしても、応力集中する部分が発生しないため、炊飯器本体の上面開口部にクラックや亀裂が発生するのを未然に防止することができる。また、本構成においては、炊飯器本体と本体カバーが一連につながっていなくても、同等以上の効果を得ることができる。
【００１６】
第５の発明は、上記第４の発明において、上面開口部と本体カバーの熱膨張の差を緩和させる緩衝部材は、ゴム材等で構成したものであり、炊飯器本体の上面開口部と本体カバーが熱収縮を起こしたとしても、両部品の熱膨張の差をゴム材により吸収することができるので、応力集中する部分が発生しないため、炊飯器本体の上面開口部にクラックや亀裂が発生するのを未然に防止することができる。
【００１７】
以下、本発明の実施の形態について、図面を参照しながら説明する。なお、この実施の形態によって本発明が限定されるものではない。
【００１８】
（実施の形態１）
図１に示すように、炊飯器本体１は、有底筒形状の鍋収納部２を有しており、炊飯器本体１の上面開口部３と鍋収納部２はねじ等の機械的に固定している。炊飯器本体１の上面開口部３の外周は、外周側面部材４に支持されている。また、鍋５は炊飯器本体１の鍋収納部２に上方より着脱自在に収納し、鍋５の外周フランジ部６は炊飯器本体１の鍋収納部２に収納したときに炊飯器本体１の上面開口部３の上方に位置している。
【００１９】
蓋７は、鍋５の上方に開閉自在に設け、炊飯器本体１の上面開口部３の上方に位置している。また、上面開口部３には、鍋５の外周フランジ部６に対向する立ち上がり環状リング部８と蓋７を軸支するための後方ヒンジ立ち上がり壁９とを有しており、環状リング８を含む上面開口部３に本体カバー１０を配設している。
【００２０】
本体カバー１０の内周部の端部１１は、上面開口部３の内周部１２と一体成形し、また、本体カバー１１の外周部の端部１３は、上面開口部３の外周部１４と一体成形している。そして、上面開口部３において、内周部１２と外周部１４の間に隙間１５を配設し、内周部１２と外周部１４を完全に分離させている。
【００２１】
鍋５は、底コイル１６により電磁誘導加熱されて鍋５を加熱し、炊飯および保温調理を行うようにしている。制御基板１７は炊飯器の加熱動作を制御するものである。底センサ１８は、炊飯および保温時において、鍋５内の温度を検知し、制御基板１７へと信号を送っている。
【００２２】
また、蓋７には、炊飯中の蒸気を排出する蒸気穴１９を有する内蓋２０を配設するとともに、炊飯中の蒸気が外部へ流出する筒形状の蒸気口２１を設け、蒸気口２１と内蓋１９は、蒸気口パッキン２２により蒸気が蓋７の内部に流入しないようにシールしている。また、内蓋２０の外周部には、鍋５の外周フランジ部６と当接する内蓋パッキン２３を配設しており、炊飯および保温中に発生する蒸気が蒸気口２１以外から外部へ漏れ出すのを防止している。
【００２３】
上記構成において動作を説明する。炊飯および保温中に鍋５内で発生した蒸気は内蓋２０に付着し、この蒸気が冷やされて露になる。この露の付着を減らすために、蓋７内に配設した蓋コイル２４で内蓋２０を電磁誘導加熱をする。このとき、過度の加熱はご飯の表面を乾燥させたり黄変させたりするので、蓋コイル２４による電磁誘導加熱には、限界があり、若干の露が内蓋２０に残る。また、内蓋パッキン２３は、内蓋２０より加熱されないため、露が付着しやすい。
【００２４】
このような状態で、蓋７を開けると、内蓋２０や内蓋パッキン２３に付着した露は下方に垂れて、遂には炊飯器本体１の上面開口部３に滴下し、汚れの原因となる。
【００２５】
また、炊飯器本体１の上面開口部３には、ご飯粒が落下して付着したり、炊飯器は、台所の周辺に設置されることが多く、油を使った調理による発生する油煙にもさらされるので、油煙が付着したりする。また、上面開口部３の環状リング部８は、鍋５の外周フランジ部６より放射熱を受け、炊飯中で６０〜７０℃、保温中で５０〜６０℃となり、雑菌が繁殖しやすい温度になる。そこで、上面開口部３に付着した露やご飯粒あるいは油煙および調味料は暖められ、雑菌が繁殖しやすく、かびやかび臭あるいは腐敗臭などが発生する可能性がある。
【００２６】
しかしながら、本実施の形態では、環状リング８を含む上面開口部３には、本体カバー１０を配設しているため、内蓋２０および内蓋パッキン２３から滴下した露やご飯粒あるいは油煙などは、本体カバー１０に溜まる。ここで、本体カバー１０は、表面がざらざらしていない材料であれば、こびりつきにくく、ふきん等で簡単に拭き取ることができ、上面開口部３を清潔に保つことができる。
【００２７】
また、炊飯中においては、上面開口部３および本体カバー１０の温度は６０〜７０℃に達するため、上面開口部３の内周部１２と外周部１４は、炊飯器本体１の中心側に収縮してくる。そこで、本体カバー１０は、金属部材で構成すると、本体カバー１０は、炊飯中の温度が６０〜７０℃に達したとしても、炊飯器本体１の中心側にはほとんど収縮しないので、上面開口部３と本体カバー１０の熱収縮の差により、上面開口部３の内周部１２と外周部１４の間に応力集中が発生し、上面開口部３にクラックや亀裂が発生する可能性がある。
【００２８】
しかし、本実施の形態では、上面開口部３において、内周部１２と外周部１４の間に隙間１５を配設し、内周部１２と外周部１４を完全に分離させることで、炊飯中に上面開口部３の温度が６０〜７０℃に達しても、上面開口部３の内周部１２と外周部１４が熱収縮により、炊飯器本体１の中心に収縮が働いたとしても、完全分離構成であるため、上面開口部３の内周部１２と外周部１４の間に応力集中が発生しないため、上面開口部３のクラックや亀裂などを抑えることができる。
【００２９】
以上のように、本実施の形態においては、鍋５を着脱自在に支持する炊飯器本体１の上面開口部３に本体カバー１０を配設し、本体カバー１０の内周部の端部１１と外周部の端部１３とを炊飯器本体１の上面開口部３と一体成形したので、炊飯器本体１の上面開口部３を衛生的で、かつ容易に手入れできるとともに、商品に清潔感や高級感を持たせ、商品性を高めることができ、炊飯器本体１の構成を簡素化することができ、また、上面開口部３の内周部１２と外周部１４の間に隙間１５を配設したので、上面開口部３と本体カバー１０の熱膨張の差により上面開口部３にクラックが発生するのを防止することができる。
【００３０】
（実施の形態２）
図２に示すように、炊飯器本体の上面開口部３の内周部１２および外周部１４はプラスチック部材にて構成し、本体カバー１０は金属部材にて構成し、本体カバー１０の内周部の端部１１に折り曲げ部２５を設け、本体カバー１０の外周部の端部１３に折り曲げ部２６を設け、折り曲げ部２５、２６を上面開口部３の内周部１２および外周部１４に食い込んで固定している。他の構成は上記実施の形態１と同じである。
【００３１】
上記構成において作用を説明する。本体カバー１０の外周部の端部１３の折り曲げ部２６に折り返し部２７を設けると、上面開口部３と外周部１４が炊飯器本体の中心方向に熱収縮をしたとき、折り返し部２７の端部２８に応力集中が発生し、上面開口部３の外周部１４にクラックや亀裂が発生する可能性がある。このため、本実施の形態では、折り返し部２８を廃止した構成としている。
【００３２】
このような構成にすることで、本体カバー１０の内周部の端部１２と外周部の端部１２に折り曲げ部２５、２６を配設することにより、炊飯の繰り返しで、上面開口部３が熱収縮をしてたとしても、折り曲げ部２５、２６が上面開口部３と一体成形されているため、本体カバー１０が上面開口部３から浮き出るのをなくすことができる。
【００３３】
また、本体カバー１０が金属部材でも、上面開口部３のプラスチック部材の破損がないので、安全性を確保することができる。また、本体カバー１０を金属部材にすることで、金属のもつ光沢感は、清潔感および高級感を感じさせ、商品力を高めることができる。
【００３４】
ここで、ステンレスの薄板やアルミニウムの薄板は、加工がしやすく、錆などの腐食が発生しにくいので、本体カバー１０の材料に適しているといえる。
【００３５】
以上のように、本実施の形態においては、本体カバー１０の内周部の端部１１と外周部の端部１３に折り曲げ部２５、２６を配設したので、炊飯の繰り返しで、炊飯器本体の上面開口部３が熱収縮をしてたとしても、折り曲げ部２５、２６が上面開口部３と一体成形されているため、本体カバー１０が上面開口部３から浮き出るのをなくすことができる。
【００３６】
また、本体カバー１０は金属部材で構成し、炊飯器本体の上面開口部３の内周部１２および外周部１４は、プラスチック部材で構成したので、炊飯器本体と本体カバー１０を一連につながってないため、プラスチック部材である炊飯器本体の上面開口部３が収縮しても、応力集中が発生する部分が発生しないため、上面開口部３にクラックや亀裂が発生するのを未然に防止することができる。さらに、商品に清潔感や高級感を持たせ、商品価値を向上することができる。
【００３７】
（実施の形態３）
図３に示すように、炊飯器本体の上面開口部３は、上記実施の形態１または２と同様に、本体カバー１０と一体成形している。本体カバー１０の内周部の端部１１の折り曲げ部２５は、上面開口部３の内周部１２に食い込んで固定しており、また、本体カバー１０の外周部の端部１２の折り曲げ部２６は、上面開口部３の外周部１４に食い込んで固定している。ここで、本体カバー１０の内周部の端部１１の折り曲げ部２５には、上面開口部３と本体カバー１０の熱膨張の差を吸収させる緩衝部材３１を配設し、本体カバー１０の外周部の端部１２の折り曲げ部２６にも、熱膨張の差を吸収させる緩衝部材３２を配設している。ここで、緩衝部材３１および緩衝部材３２をゴム部材で構成している。他の構成は上記実施の形態１または２と同じである。
【００３８】
上記構成において作用を説明する。炊飯中において、上面開口部３および本体カバー１０が６０〜７０℃になり、熱膨張がおこり寸法変化が発生したとしても、緩衝部材３１、３２により、収縮差を吸収することができる。ここで、緩衝部材３１、３２の厚みは、上面開口部３と本体カバー１０の収縮差の寸法より厚くする必要がある。
【００３９】
このような構成をとることで、上面開口部３での内周部１２と外周部１４のプラスチック部にクラックや亀裂が発生する問題がなくなるとともに、上面開口部３の内周部１２と外周部１４との間に隙間を配設する必要がなくなり、上面開口部３自体の落下に対する強度等も向上することができる。
【００４０】
また、緩衝材３１、３２をゴム部材で構成することで、上面開口部３と本体カバー１０の熱収縮の差をより吸収できるので、上面開口部３の熱収縮によるクラックや亀裂を防止することができる。
【００４１】
以上のように、本実施の形態においては、上面開口部３の内周部１２および外周部１４に一体成形されている本体カバー１０の内周部の端部１１および外周部の端部１３に、上面開口部３と本体カバー１０の熱膨張の差を緩和させる緩衝部材３１、３２を配設し、上面開口部３と本体カバー１０を一体成形したので、上面開口部３と本体カバー１０が一連につながった構成であっても、熱膨張の差を緩和させる緩衝部材３１、３２により、完全に炊飯器本体の上面開口部３と本体カバー１０を分離させることができるため、上面開口部３と本体カバー１０が熱収縮を起こしたとしても、応力集中する部分が発生しないため、上面開口部３にクラックや亀裂が発生するのを未然に防止することができる。
【００４２】
また、上面開口部３と本体カバー１０の熱膨張の差を緩和させる緩衝部材３１、３２は、ゴム材等で構成したので、上面開口部３と本体カバー１０が熱収縮を起こしたとしても、両部品の熱膨張の差をゴム材により吸収することができるので、応力集中する部分が発生しないため、上面開口部３にクラックや亀裂が発生するのを未然に防止することができる。
【産業上の利用可能性】
【００４３】
以上のように、本発明にかかる炊飯器は、炊飯器本体の上面開口部を衛生的で、かつ容易に手入れできるとともに、商品に清潔感や高級感を持たせ、商品性を高めることができ、上面開口部と本体カバーの熱膨張の差により上面開口部にクラックが発生するのを防止することができるので、炊飯器本体内に鍋を着脱自在に支持する炊飯器として有用である。
【図面の簡単な説明】
【００４４】
【図１】本発明の実施の形態１における炊飯器の縦断面図
【図２】本発明の実施の形態２における炊飯器の要部断面図
【図３】本発明の実施の形態３における炊飯器の要部断面図
【図４】従来の炊飯器の縦断面図
【図５】（ａ）同炊飯器の要部斜視図（ｂ）同炊飯器の要部断面図
【符号の説明】
【００４５】
１  炊飯器本体
３  上面開口部
５  鍋
１０  本体カバー
１１  端部
１２  内周部
１３  端部
１４  外周部
１５  隙間
【図１】
2005081042.tif 000003
【図２】
2005081042.tif 000004
【図３】
2005081042.tif 000005
【図４】
2005081042.tif 000006
【図５】
2005081042.tif 000007